(57)【特許請求の範囲】
【請求項１】
目標経路に沿って自車を自動的に走行させる自動運転モード中に運転者が運転操作を行うと当該運転操作に従い前記自車を走行させる手動運転モードに切り替える運転モード切り替え部と、
前記目標経路に従って、運転者に進路変更案内を含む経路誘導を行う経路誘導部と、
前記自動運転モード中の前記進路変更案内に連動して運転者に前記手動運転モードへの切り替えを促す運転モード切り替え促進部と、
を備え、
前記運転モード切り替え部は、前記手動運転モード中に運転者が運転操作を停止する、または自動運転選択ボタンをオンとすることで前記自動運転モードに切り替え、
前記運転モード切り替え促進部は、前記手動運転モード中の前記進路変更案内の終了に連動して運転者に前記自動運転モードへの切り替えを促すことを特徴とする自動運転制御装置。
【請求項２】
請求項１に記載の自動運転制御装置において、
前記自動運転モードは、前記目標経路のうち道なりに走行可能な部分のみで前記自車を自動的に走行させる走行モードであることを特徴とする自動運転制御装置。
【請求項３】
請求項１に記載の自動運転制御装置において、
前記運転モード切り替え促進部は、前記進路変更案内がなされたとき、運転者に前記手動運転モードへの切り替えを促すことを特徴とする自動運転制御装置。
【請求項４】
請求項３に記載の自動運転制御装置において、
前記運転モード切り替え促進部は、前記自車が走行中のレーンが前記進路変更案内による進路変更先に対応するレーンであるか否かにより運転者に前記手動運転モードへの切り替えを促すタイミングを異ならせることを特徴とする自動運転制御装置。
【請求項５】
請求項４に記載の自動運転制御装置において、
前記運転モード切り替え促進部は、前記進路変更案内が終了したとき、運転者に前記自動運転モードへの切り替えを促すことを特徴とする自動運転制御装置。
【請求項６】
請求項４に記載の自動運転制御装置において、
前記運転モード切り替え部は、前記手動運転モード中に運転者が運転操作を停止した場合、前記自車の走行環境に基づく必須条件と前記自車の走行状態に基づく推奨条件とを共に満たしたとき前記自動運転モードに切り替え、
前記運転モード切り替え促進部は、前記必須条件のみを満たす場合と前記必須条件を満たさない場合とで運転者に前記自動運転モードへの切り替えを促す方法を異ならせることを特徴とする自動運転制御装置。
【請求項７】
目標経路に沿って自車を自動的に走行させる自動運転モード中に運転者が運転操作を行うと当該運転操作に従い前記自車を走行させる手動運転モードに切り替える自動運転制御方法において、
前記自動運転モード中の運転者への進路変更案内に連動して運転者に前記手動運転モードへの切り替えを促すと共に、前記手動運転モード中に運転者が運転操作を停止する、または自動運転選択ボタンをオンとすることで前記自動運転モードに切り替え、
前記手動運転モード中の前記進路変更案内の終了に連動して運転者に前記自動運転モードへの切り替えを促すことを特徴とする自動運転制御方法。
【請求項８】
請求項７に記載の自動運転制御方法において、
前記進路変更案内がなされたとき、運転者に前記手動運転モードへの切り替えを促すことを特徴とする自動運転制御方法。
【請求項９】
請求項８に記載の自動運転制御方法において、
走行中のレーンが前記進路変更案内による進路変更先に対応するレーンであるか否かにより運転者に前記手動運転モードへの切り替えを促すタイミングを異ならせることを特徴とする自動運転制御方法。
【請求項１０】
請求項９に記載の自動運転制御方法において、
前記手動運転モード中に運転者が運転操作を停止した場合、前記自車の走行環境に基づく必須条件と前記自車の走行状態に基づく推奨条件とを共に満たしたとき前記自動運転モードに切り替え、
前記必須条件のみを満たす場合と前記必須条件を満たさない場合とで運転者に前記自動運転モードへの切り替えを促す方法を異ならせることを特徴とする自動運転制御方法。
【発明の詳細な説明】
【技術分野】
【０００１】
本発明は、自動運転制御装置および自動運転制御方法に関する。
【背景技術】
【０００２】
従来の自動運転制御装置では、自動運転モード中に運転者が運転操作を行うと手動運転モードに切り替えている。上記説明の技術に関係する一例は、特許文献１に記載されている。
【先行技術文献】
【特許文献】
【０００３】
【特許文献１】特開2000-276690号公報
【発明の概要】
【発明が解決しようとする課題】
【０００４】
自動運転による進路変更は技術難度が高く、自動運転が継続困難なシーンも想定されるため、手動運転モードへの切り替えが必要な場合がある。このため、自動運転モードから手動運転モードへの切り替えを運転者にわかりやすく促して欲しいとのニーズがある。
本発明の目的は、自動運転モードから手動運転モードへの切り替えを運転者にわかりやすく促せる自動運転制御装置および自動運転制御方法を提供することにある。
【課題を解決するための手段】
【０００５】
本発明では、自動運転モード中の進路変更案内におけるターンバイターンのタイミングと連動して運転者に前記手動運転モードへの切り替えを促す。
【発明の効果】
【０００６】
よって、自動運転モードから手動運転モードへの切り替えを運転者にわかりやすく促せる。
【図面の簡単な説明】
【０００７】
【図１】実施例１の自動運転制御装置の構成図である。
【図２】実施例１のナビゲーションシステム2の構成図である。
【図３】ナビゲーションシステム2により表示装置15に表示される地図画面22の一例である。
【図４】ナビゲーションシステム2により表示装置15に表示されるターンバイターン画面24の一例である。
【図５】実施例１の自動運転に関するタスクの流れを示すフローチャートである。
【図６】実施例１の走行モード切り替えに関するタスクの流れを示すフローチャートである。
【図７】実施例１および実施例２の走行モード切り替えに関するタスクの流れを示すフローチャートである。
【図８】自動運転モードで左折レーンを走行している状態から交差点を左折する際の実施例１の走行モード切り替えに関するタスクの動作を示すタイムチャートである。
【図９】自動運転モードで直進レーンを走行している状態から交差点を左折する際の実施例１の走行モード切り替えに関するタスクの動作を示すタイムチャートである。
【図１０】実施例２および実施例３の走行モード切り替えに関するタスクの流れを示すフローチャートである。
【図１１】実施例２および実施例３の走行モード切り替えに関するタスクの流れを示すフローチャートである。
【図１２】実施例３の走行モード切り替えに関するタスクの流れを示すフローチャートである。
【発明を実施するための形態】
【０００８】
〔実施例１〕
［自動運転制御装置］
図１は、実施例１の自動運転制御装置の構成図である。
実施例１の自動運転制御装置は、エンジンを動力源とする車両に搭載されている。外界認識装置1は、自車に搭載されたカメラやレーザレーダ等から自車の周辺環境（道路形状、白線、障害物等）を認識する。ナビゲーションシステム（経路誘導部）2は、自車の現在位置から運転者が設定した目的地までの推奨経路（目標経路）を設定し、運転者に経路案内を行う。詳細は後述する。自車挙動検出装置3は、前輪の舵角を検出する舵角センサ、車速を検出する車速センサ、横Gを検出する横Gセンサ、ヨーレイトを検出するヨーレイトセンサやターンシグナル等の各信号から自車の挙動を検出する。自動運転制御コントローラ4は、運転者による自動運転の選択（例えば、自動運転選択ボタンON）を含む所定の自動運転開始条件が成立すると、走行モードを自動運転モードとする。自動運転制御コントローラ4は、自動運転モード中、運転者の運転操作（ハンドル操作、ペダル操作）に依らず、自車が推奨経路に基づき自動で走行するよう操舵制御および車速制御を行う。具体的には、自動運転制御コントローラ4は、自動運転モード中、自車の周辺環境や自車の挙動に基づいて操舵制御における前輪の目標舵角を演算すると共に車速制御における自車の目標舵角を演算する。ステアリング制御装置5は、前輪の舵角が目標舵角となるよう前輪を転舵するステアリング装置8を駆動する。スロットル制御装置6は、自車の車速が目標車速となるようスロットルバルブを開閉するスロットル装置9を駆動する。ブレーキ制御装置7は、自車の車速が目標車速となるよう各輪に制動力を付与するブレーキ装置10を駆動する。HUD装置11は、車速等の車両情報やナビゲーションシステム2の経路案内等を虚像として自車のフロントウィンドウに表示する。音声発話装置12は、各種警報やナビゲーションシステム2の経路案内等を合成音声として発話する。警報装置13は警報音を発して各種警報を行う。ステアリング振動装置14は、ステアリングホイールを振動させて各種警報を行う。
自動運転制御コントローラ4は、自動運転モード中に運転者の運転操作（ハンドル操作やペダル操作であり、以下、オーバーライドとも称す。）が検出されると、走行モードを自動運転モードから手動運転モードへ切り替える。以下、自動運転モードから手動運転モードへの切り替えを「自動⇒手動モード切り替え」、手動運転モードから自動運転モードへの切り替えを「手動⇒自動モード切り替え」とも記載する。手動運転モードでは、運転者が自動運転を選択していない通常走行と同様に、運転者の運転操作に従い車両を制御する。また、自動運転制御コントローラ4は、手動運転モード中に自動運転開始条件が成立すると、手動⇒自動モード切り替えを行う。
【０００９】
［ナビゲーションシステム］
図２は、実施例１のナビゲーションシステム2の構成図である。
ビーコン受信装置2aは、電波や光ビーコンなどから交通情報を取得する。
GPS受信機2bは、複数のサテライト（GPS衛星）から自車の経度・緯度を受信する。地図情報記憶装置2cは、道路地図の情報（道路属性が付与されたノード、リンクの情報）を記憶する。ノードが保持する情報は、交差点の名称（漢字・読み）や信号機の有無等である。リンクが保持する情報は、リンクの種別（車道本線部分を表す「本線リンク」、高速などの出入口やJCTなど本線間を結ぶための「連結路リンク」、一般道の交差点の内部であることを明示する「交差点内リンク」など）、道路種別、道路管理者（国・都道府県・市区町村など）、道路幅員、車線数、道路名称、道路番号（国道□号線など）、交通規制（一方通行・通行禁止など）、VICS（Vehicle Information and Communication System：登録商標）情報、制限速度（最高速度）等である。外部記憶装置2dは、自車の状態に関する情報を記憶する。操作入力装置2eは、例えば、タッチパネルやスイッチであり、運転者が目的地の入力や表示の変更等を行う際に操作される。
ナビゲーションコントローラ2fは、運転者に経路案内を行うための様々な処理を行う。例えば、図３に示すように、自車の経度・緯度と道路地図の情報から自車の現在位置を検出し、自車周辺の道路地図をグラフィックス展開し、現在位置を示すマーク21を重ねた地図画面22を表示装置15にナビ画面の通常画面として表示する。なお、GPS受信機2bが自車の経度・緯度を受信できない場合には、自車挙動検出装置3から入力した自車の挙動からデッドレコニングにより現在位置を推定する。表示装置15は、例えば液晶ディスプレイや有機ELディスプレイである。また、ナビゲーションコントローラは、交通情報等を考慮して現在位置と目的地とを結ぶ最適な推奨経路23を探索し、推奨経路を地図画面22に重畳表示すると共に、表示装置15による表示や音声出力装置16による発話を用いて運転者を誘導する。音声出力装置16として音声発話装置12を用いてもよい。
さらに、ナビゲーションコントローラ2fは、自車が進路変更すべき分岐（交差点等）までの距離が所定のターンバイターン表示閾値以下になると、分岐を出るまでの間、図４に示すようにナビ画面にターンバイターン画面24を表示すると共に、音声出力装置16による発話を用いて進路変更を促す（進路変更案内）。ターンバイターンとは、ナビゲーションシステム2のユーザーインターフェースの一種で、交差点などでの進行方向を音声や矢印アイコンなどで表示する表示方式のことである。ターンバイターン画面24には、現在位置から分岐までを地図画面25に、現在位置を示すマーク26、進路方向を示す矢印27、分岐までの距離を表すメモリ28が表示される。ターンバイターン画面24は、HUD装置11を用いてフロントウィンドウに表示してもよい。
自動運転情報出力装置17は、ナビゲーション情報として、推奨経路における各ノードおよび各リンクが保持する情報、ターンバイターン画面24の表示開始や終了のタイミングを図外のCAN通信線に出力する。
【００１０】
［部分的自動運転について］
実施例１の自動運転は、推奨経路のうち単調な道なり走行のみを行う部分的自動運転である。自動運転では、先行車との距離を適宜保ちつつ自車をレーン（走行車線）の略中央に維持し、必要な場合は障害物回避（すり抜け、追い越し）等を行う。ここで、推奨経路の全てを自動運転とした場合、センサ数の増加や制御の複雑化を伴う。また、自動運転が困難なケースも考えられる。よって、自動運転を単調な道なり走行に限定し、交差点右左折時等の進路変更については運転者の操作に委ねることにより、推奨経路の全てを自動運転する場合と比較して、センサ数の低減および制御の簡素化による低コスト化および安全性の向上を実現できる。なお、一般的に、総運転時間の大部分（9割程度）は単調な道なり走行であり、進路変更が占める時間は僅か（1割り程度）である。このため、自動運転を道なり走行のみに限定した場合であっても、総運転時間の大部分をカバーでき、自動運転の利便性が大きく損なわれることはない。
上記部分的自動運転において、自動⇒手動モード切り替えは、運転者のオーバーライドが検出されたタイミングで行われる。これにより、運転者は任意のタイミングで自動⇒手動モード切り替えを実施でき、運転者の予期せぬタイミングで自動運転が終了するのを回避できるという効果を奏する。一方、運転者は進路変更の都度、自動⇒手動モード切り替えを行う必要がある。したがって、進路変更が必要なシーンでは、予め運転者に自動⇒手動モード切り替えに必要となるオーバーライドを促す必要がある。そこで、実施例１では、自動⇒手動モード切り替えを運転者にわかりやすく促すことを狙いとし、以下に示すような自動運転に関するタスクを実施する。なお、交差点等で運転者のオーバーライドがない場合には、自動運転を可能な限り継続して道なり走行を行うため、停車や車線逸脱を抑制でき、交通流の妨げとはならない。自車が推奨経路から外れると、ナビゲーションシステム2により推奨経路が再設定される。
【００１１】
［自動運転に関するタスク］
図５は、実施例１の自動運転に関するタスクの流れを示すフローチャートである。この処理は、自動運転制御コントローラ4において所定の制御周期（例えば10ms）で繰り返される。
ステップS1では、外界認識装置1のセンシング結果（自車の周辺環境の認識結果）を読み込む。
ステップS2では、自車挙動検出装置3により検出された自車挙動を読み込む。
ステップS3では、ナビゲーションシステム2の自動運転情報出力装置17からCAN通信線に出力されたナビゲーション情報を読み込む。
ステップS4では、割り込み処理として走行モード切り替えに関するタスクを実行する。詳細は後述する。
ステップS5では、走行モードが自動運転モードであるか否かを判定する。YESの場合はステップS6へ進み、NOの場合はステップS7へ進む。
ステップS6では、自動運転用の制御演算を行う。すなわち、自車を推奨経路に基づき自動で走行させるための目標舵角および目標車速を演算し、目標舵角に応じてステアリング装置8を駆動すると共に目標車速に応じてスロットル装置9およびブレーキ装置10を駆動する。
ステップS7では、故障等の診断を行う。
【００１２】
［走行モード切り替えに関するタスク］
図６および図７は、実施例１の走行モード切り替えに関するタスクの流れを示すフローチャートである。自動運転制御コントローラ4は、下記のタスクを実施するための構成として、運転モード切り替え部4aおよび運転モード切り替え促進部4bを備える。
ステップS11では、運転モード切り替え部4aにおいて、自動運転システムがONであるか否か、すなわち、運転者が自動運転を選択しているか否かを判定する。YESの場合はステップS13へ進み、NOの場合にはステップS13へ進む。
ステップS12では、運転モード切り替え部4aにおいて、走行モードを手動運転モードに設定し、タスクを終了する。
ステップS13では、運転モード切り替え部4aにおいて、前回の制御周期における走行モードが自動運転モードであったか否かを判定する。YESの場合はステップS15へ進み、NOの場合はステップS14へ進む。
ステップS14では、運転モード切り替え部4aにおいて、自動運転開始条件である下記4条件を全て満たす場合は走行モードを自動運転モードに設定し、それ以外の場合はタスクを終了する。
1. ナビゲーションシステム2の表示画面が通常画面（地図画面22）
2. オーバーライドなし
3. 外界認識装置1が白線を検出中
4. 車速が所定範囲内
ナビゲーションシステム2の表示画面は、ナビゲーション情報から判断する。オーバーライドの有無は、運転者の操舵トルク、アクセル操作量およびブレーキ操作量から判断する。白線を検出中か否かは、センシング結果から判断する。車速が所定範囲内か否かは、自車挙動から判断する。
【００１３】
ステップS15では、運転モード切り替え促進部4bにおいて、ナビ画面が通常画面（地図画面22が表示された状態）であるか否かを判定する。YESの場合はステップS16へ進み、NOの場合はステップS18へ進む。
ステップS16では、運転モード切り替え部4aにおいて、運転者がオーバーライドしたか否かを判定する。YESの場合はステップS17へ進み、NOの場合はタスクを終了する。
ステップS17では、運転モード切り替え部4aにおいて、走行モードを手動運転モードに設定し、タスクを終了する。
ステップS18では、運転モード切り替え促進部4bにおいて、現在の走行レーンが進路変更レーンであるか否か、すなわち、進路変更するための車線変更が不要であるか否かを判定する。YESの場合はステップS19へ進み、NOの場合はステップS20へ進む。
ステップS19では、運転モード切り替え促進部4bにおいて、ナビゲーション情報から、進路変更（分岐）まで所定距離以下であるか否かを判定する。YESの場合はステップS20へ進み、NOの場合はステップS21へ進む。ここで、所定距離は、ターンバイターン表示閾値よりも短い距離とする。
ステップＳ20では、運転モード切り替え促進部4bにおいて、運転者に自動⇒手動モード切り替え、すなわちオーバーライドを促す。ここでは、例えば、HUD装置11や表示装置15による表示、音声発話装置12による発話、ステアリング振動装置14によるステアリングホイールの振動の少なくとも１つの方法を用いて手動運転モードへの切り替えを促す。
ステップＳ21では、運転モード切り替え部4aにおいて、運転者がオーバーライドしたか否かを判定する。YESの場合はステップS22へ進み、NOの場合はタスクを終了する。
ステップS22では、運転モード切り替え部4aにおいて、走行モードを手動運転モードに設定し、タスクを終了する。
【００１４】
次に、実施例１の走行モード切り替えに関するタスクの動作例を説明する。
図８は、自動運転モードで左折レーンを走行している状態から交差点を左折する際の実施例１の走行モード切り替えに関するタスクの動作を示すタイムチャートである。
時刻t1では、前方交差点までの距離がターンバイターン表示閾値となったため、ナビ画面にターンバイターン画面24が表示される。このとき、現在の走行レーンは左折レーンであり、交差点までの距離は所定距離よりも大きいため、図６および図７のフローチャートでは、S11→S13→S15→S18→S19→S21の流れとなり、自動運転モードが継続される。
時刻t2では、交差点までの距離が所定距離となったため、S11→S13→S15→S18→S19→S20→S21の流れとなり、運転者に自動⇒手動モード切り替えが促される。ターンバイターン画面24は交差点の手前から表示されるため、運転者はターンバイターン画面24の表示をもって前方に進路変更（左折）が必要な分岐があることを認識する。よって、ターンバイターン画面24の表示タイミングに連動して自動⇒手動モード切り替えに必要なオーバーライドを運転者に促すことで、自動⇒手動モード切り替えを運転者にわかりやすく促せる。このとき、進路変更のための車線変更が不要な場合には、進路変更が必要となる交差点進入直前まで待って自動⇒手動モード切り替えを促す。これにより、交差点進入直前まで自動運転が継続されるため、自動運転機能をより長期間利用して利便性を向上できる。
時刻t3では、運転者がオーバーライドを開始したため、S11→S13→S15→S18→S19→Ｓ20→S21→S22の流れとなり、自動⇒手動モード切り替えが行われる。
時刻t4では、自車が交差点の出口に達し、ナビ画面からターンバイターン画面24の表示が消える。このとき、運転者はオーバーライドを継続しているため、S11→S13→S15→Ｓ16→S17の流れとなり、手動運転モードが維持される。
時刻t5では、運転者のオーバーライドが終了したため、S11→S13→S14の流れとなり、手動⇒自動モード切り替えが行われる。
図９は、自動運転モードで直進レーンを走行している状態から交差点を左折する際の実施例１の走行モード切り替えに関するタスクの動作を示すタイムチャートである。
時刻t1では、前方交差点までの距離がターンバイターン表示閾値となったため、ナビ画面にターンバイターン画面24が表示される。このとき、現在の走行レーンは直進レーンであるため、図６および図７のフローチャートでは、S11→S13→S15→S18→Ｓ20→S21→S21の流れとなり、運転者に自動⇒手動モード切り替えが促される。ターンバイターン画面24の表示タイミングに連動して自動⇒手動モード切り替えに必要なオーバーライドを運転者に促すことで、自動⇒手動モード切り替えを運転者にわかりやすく促せる。このとき、進路変更のための車線変更が必要な場合には、ターンバイターン画面24の表示と同時に自動⇒手動モード切り替えを促す。これにより、運転者に車線変更の必要性を早期に喚起できるため、運転者は余裕を持って車線変更を行える。
時刻t2〜t4の区間は、図８の時刻t3〜t5の区間と同じ動作であるため説明は省略する。
【００１５】
次に、効果を説明する。
実施例１にあっては、以下の効果を奏する。
(1) 推奨経路に沿って自車を自動的に走行させる自動運転モード中に運転者が運転操作を行うと当該運転操作に従い自車を走行させる手動運転モードに切り替える運転モード切り替え部4aと、推奨経路に従って、運転者にターンバイターン画面24の表示等の進路変更案内を含む経路誘導を行うナビゲーションシステム2と、自動運転モード中の進路変更案内に連動して運転者に手動運転モードへの切り替えを促す運転モード切り替え促進部4bと、を備える。
よって、自動運転モードから手動運転モードへの切り替えを運転者にわかりやすく促せる。
(2) 自動運転モードは、推奨経路のうち道なりに走行可能な部分のみで自車を自動的に走行させる走行モードである。
よって、推奨経路の全てを自動運転する場合と比較して、センサ数の低減および制御の簡素化による低コスト化を実現できる。
(3) 運転モード切り替え促進部4bは、進路変更案内がなされたとき、運転者に手動運転モードへの切り替えを促す。
よって、自動運転モードから手動運転モードへの切り替えを運転者により一層わかりやすく促せる。
(4) 運転モード切り替え促進部4bは、自車が走行中のレーンが進路変更案内による進路変更先に対応するレーンであるか否かにより運転者に手動運転モードへの切り替えを促すタイミングを異ならせる。
よって、自車の走行状態に応じたタイミングで運転者に手動運転モードへの切り替えを促せる。
【００１６】
〔実施例２〕
次に、実施例２について説明する。実施例２は、走行モード切り替えに関するタスクが実施例１と異なる。
［走行モード切り替えに関するタスク］
図７、図１０および図１１は、実施例２の走行モード切り替えに関するタスクの流れを示すフローチャートである。なお、実施例１と同じ処理を行うステップには同じステップ番号を付して説明は省略する。
ステップS31では、運転モード切り替え部4aにおいて、イグニッションスイッチのON後、最初のシステムONか否かを判定する。YESの場合はステップS32へ進み、NOの場合はステップS33へ進む。
ステップS32では、運転モード切り替え促進部4bにおいて、第１カウンタmおよび第２カウンタnを初期化（ゼロクリア）する。
ステップS33では、運転モード切り替え促進部4bにおいて、ナビ画面が進路変更画面か否か、すなわち、ターンバイターン画面24が表示されているか否かを判定する。YESの場合はステップS34へ進み、NOの場合はステップS35へ進む。
ステップS34では、運転モード切り替え促進部4bにおいて、第１カウンタmおよび第２カウンタnを初期化し、タスクを終了する。
ステップS35では、運転モード切り替え部4aにおいて、自動運転モードへ遷移するための必須条件を満足するか否かを判定する。YESの場合はステップS36へ進み、NOの場合はステップS37へ進む。必須条件は、走行環境に基づく以下の3条件であり、3条件を全て満たした場合に必須条件を満足したと判定する。
1. 道路種別が主要国道または高速道路
2. 制限速度が所定車速（例えば40km/h）以上
3. 悪天候等による交通規制なし
道路種別および制限速度はナビゲーション情報から判断する。交通規制はビーコン受信装置2aの交通情報から判断する。
ステップS36では、運転モード切り替え部4aにおいて、自動運転モードへ遷移するための推奨条件を（半分以上）満足するか否かを判定する。YESの場合はステップS38へ進み、NOの場合はステップS39へ進む。推奨条件は、車両状態に基づく以下の3条件であり、3条件のうち2つ以上を満たした場合に推奨条件を満足したと判定する。
1. 自車と先行車との車間距離が所定距離以上
2. 自車の車線内位置が中央付近
3. 走行車線が次の車線変更位置（例えば、次が右折の場合は右折車線）
車間距離、車線内位置および走行車線はナビゲーション情報から判断する。
ステップＳ37では、運転モード切り替え促進部4bにおいて、第２カウンタnをインクリメント(n=n+1)する。
ステップS38では、運転モード切り替え部4aにおいて、走行モードを自動運転モードに設定し、タスクを終了する。
ステップS39では、運転モード切り替え促進部4bにおいて、第１カウンタmをインクリメント(m=m+1)する。
ステップS40では、運転モード切り替え促進部4bにおいて、第１カウンタmが500未満であるか否かを判定する。YESの場合はステップS41へ進み、NOの場合はタスクを終了する。
ステップS41では、運転モード切り替え促進部4bにおいて、運転者に自動運転モードに遷移するための条件を満たすように弱く促し、タスクを終了する。具体的には、警報装置13により注意喚起音を1回のみ発生させ、HUD装置11や表示装置15により満たしていない推奨条件のみを簡潔に表示する。
ステップS42では、運転モード切り替え促進部4bにおいて、第２カウンタnが1,000未満であるか否かを判定する。YESの場合はステップS43へ進み、NOの場合はタスクを終了する。
ステップS43では、運転モード切り替え促進部4bにおいて、運転者に自動運転モードに遷移するための条件を満たすように強く促し、タスクを終了する。具体的には、警報装置13により注意喚起音を2回発生させ、音声発話装置12により満たしていない必須条件のみを発話し、HUD装置11や表示装置15により満たしていない必須条件のみを完結に表示する。
【００１７】
実施例２の走行モード切り替えに関するタスクでは、手動運転モード中にターンバイターン画面24の表示が消えると、運転者に手動⇒自動モード切り替えを促す。ターンバイターン画面24の表示は交差点等の分岐から出たときに消えるため、運転者はターンバイターン画面24が消えることをもって進路変更が必要な分岐が終了したことを認識する。よって、ターンバイターン画面24が消えるタイミングに連動して手動⇒自動モード切り替えに必要な条件を満たすよう運転者に促すことにより、手動⇒自動モード切り替えを運転者にわかりやすく促せる。このとき、自動運転モードに遷移するための必須条件を全て満たしていない場合には、ターンバイターン画面24が消えてから第２カウンタnが1,000に達するまで、すなわち10秒が経過するまで運転者に必須条件の全てを満たすように強く促す。これにより、運転者は手動⇒自動モード切り替えが行われない理由（自動運転モードへの切り替えが不可能な走行環境であること）を認識できる。一方、自動運転モードへ遷移するための推奨条件の半分以上を満たしていない場合には、ターンバイターン画面24が消えてから第１カウンタmが500に達するまで、すなわち5秒が経過するまで運転者に推奨条件の半分以上を満たすように弱く促す。これにより、運転者は車両状態（先行車との車間距離、車線内位置、走行車線の位置）をどのようにすれば手動⇒自動モード切り替えが行われるのかを体で覚えられる。つまり、自動運転機能を長期間使うコツを掴める。なお、推奨条件の半分以上を満たしていない場合は、必須条件の全てを満たしていない場合よりも運転者に弱く促すため、運転者に煩わしさや緊張感を与えることはない。
【００１８】
次に、効果を説明する。
実施例２にあっては、以下の効果を奏する。
(5) 運転モード切り替え部4aは、手動運転モード中に運転者が運転操作を停止、または自動運転選択ボタンをオンとすることで自動運転モードに切り替え、運転モード切り替え促進部4bは、手動運転モード中の進路変更案内の終了に連動して運転者に自動運転モードへの切り替えを促す。
よって、手動運転モードから自動運転モードへの切り替えを運転者にわかりやすく促せる。
(6) 運転モード切り替え促進部4bは、進路変更案内が終了したとき、運転者に自動運転モードへの切り替えを促す。
よって、手動運転モードから自動運転モードへの切り替えを運転者により一層わかりやすく促せる。
(7) 運転モード切り替え部4aは、手動運転モード中に運転者が運転操作を停止した場合、自車の走行環境に基づく必須条件と自車の走行状態に基づく推奨条件とを共に満たしたとき自動運転モードに切り替え、運転モード切り替え促進部4bは、必須条件のみを満たす場合と必須条件を満たさない場合とで運転者に自動運転モードへの切り替えを促す方法を異ならせる。
よって、自動運転モードへの切り替えが不可能な理由が、走行環境と車両状態のどちらにあるのかを運転者に認識させられる。
【００１９】
〔実施例３〕
次に、実施例３について説明する。実施例３は、走行モード切り替えに関するタスクが実施例１および実施例２と異なる。
［走行モード切り替えに関するタスク］
図１０、図１１および図１２は、実施例３の走行モード切り替えに関するタスクの流れを示すフローチャートである。なお、実施例１または実施例２と同じ処理を行うステップには同じステップ番号を付して説明は省略する。
ステップS13でYESの場合にはステップS15へ進む。
ステップS51では、運転モード切り替え部4aにおいて、運転者が手も足もオーバーライドしているか否か、すなわち、ハンドル操作およびペダル操作を共に行っているか否かを判定する。YESの場合はステップS22へ進み、NOの場合はステップS52へ進む。
ステップS52では、運転モード切り替え部4aにおいて、運転者が行っていない操作に係るアクチュエータの制御量を、ゼロを目標として徐々に減らし、タスクを終了する。具体的には、ハンドル操作がない場合には操舵制御用の操舵電流をゼロまで漸減し、ペダル操作がない場合には車速制御用のスロットル開度をゼロまで漸減する。
実施例３の走行モード切り替えに関するタスクでは、運転者に自動⇒手動モード切り替えを促した後、例えば、運転者がハンドル操作のみを行い、ペダル操作を行わない場合には、スロットル開度を徐々にゼロまで漸減する。これにより、運転者は車速の低下によって自動⇒手動モード切り替えを行う必要があることを理解しやすくなる。よって、運転者に自動⇒手動モード切り替えを強く促せる。このとき、制御用の操舵電流は漸減されず、ハンドル操作に応じた舵角制御は継続されるため、モードコンフュージョンを抑制できる。
【００２０】
〔他の実施例〕
以上、本発明を実施するための形態を実施例に基づいて説明したが、本発明の具体的な構成は実施例に示した構成に限定されるものではなく、発明の要旨を逸脱しない範囲の設計変更等があっても本発明に含まれる。
ステップS41の「弱く促す」は、ステップS43よりも弱く促すものであればよい。つまり、ステップS43の「強く促す」は、ステップS41よりも強く促すものであればよい。表示を用いる場合、強く促すときには視認性を高くし（表示を大きく、強調表示等）、弱く促すときには視認性を低くする。発話や注意喚起音を用いる場合、強く促すときには音量を大きくし、弱く促すときには音量を小さくする。また、ステアリングホイールの振動を用いてもよい。この場合、強く促すときには振動を大きくし、弱く促すときには振動を小さくする。伝達手段を増やすことで強く促し、伝達手段を減らすことで弱く促してもよい。
【００２１】
以上説明した実施例から把握しうる技術的思想について、以下に記載する。
自動運転制御装置は、その一つの態様において、目標経路に沿って自車を自動的に走行させる自動運転モード中に運転者が運転操作を行うと当該運転操作に従い前記自車を走行させる手動運転モードに切り替える運転モード切り替え部と、前記目標経路に従って、運転者に進路変更案内を含む経路誘導を行う経路誘導部と、前記自動運転モード中の前記進路変更案内に連動して運転者に前記手動運転モードへの切り替えを促す運転モード切り替え促進部と、を備える。
より好ましい態様では、前記態様において、前記自動運転モードは、前記目標経路のうち道なりに走行可能な部分のみで前記自車を自動的に走行させる走行モードである。
別の好ましい態様では、前記態様のいずれかにおいて、前記運転モード切り替え促進部は、前記進路変更案内がなされたとき、運転者に前記手動運転モードへの切り替えを促す。
さらに別の好ましい態様では、前記態様のいずれかにおいて、前記運転モード切り替え促進部は、前記自車が走行中のレーンが前記進路変更案内による進路変更先に対応するレーンであるか否かにより運転者に前記手動運転モードへの切り替えを促すタイミングを異なら。
さらに別の好ましい態様では、前記態様のいずれかにおいて、前記運転モード切り替え促進部は、前記自車が走行中のレーンが前記進路変更案内による進路変更先に対応するレーンである場合には、対応しないレーンである場合よりも運転者に前記手動運転モードへの切り替えを促すタイミングを遅らせる。
さらに別の好ましい態様では、前記態様のいずれかにおいて、前記運転モード切り替え部は、前記運転モード切り替え促進部により運転者に前記手動運転モードへの切り替えが促された後、ハンドル操作とペダル操作のうち運転者が行っていない運転操作に対応する車両のアクチュエータの制御量を徐々に小さくする。
さらに別の好ましい態様では、前記態様のいずれかにおいて、前記運転モード切り替え部は、前記手動運転モード中に運転者が運転操作を停止、または自動運転選択ボタンをオンとすることで前記自動運転モードに切り替え、前記運転モード切り替え促進部は、前記手動運転モード中の前記進路変更案内の終了に連動して運転者に前記自動運転モードへの切り替えを促す。
さらに別の好ましい態様では、前記態様のいずれかにおいて、前記運転モード切り替え促進部は、前記進路変更案内が終了したとき、運転者に前記自動運転モードへの切り替えを促す。
さらに別の好ましい態様では、前記態様のいずれかにおいて、前記運転モード切り替え部は、前記手動運転モード中に運転者が運転操作を停止した場合、前記自車の走行環境に基づく必須条件と前記自車の走行状態に基づく推奨条件とを共に満たしたとき前記自動運転モードに切り替え、前記運転モード切り替え促進部は、前記必須条件のみを満たす場合と前記必須条件を満たさない場合とで運転者に前記自動運転モードへの切り替えを促す方法を異ならせる。
さらに別の好ましい態様では、前記態様のいずれかにおいて、前記運転モード切り替え促進部は、前記必須条件を満たさない場合には、前記必須条件のみを満たす場合よりも運転者に前記自動運転モードへの切り替えを強く促す。
【００２２】
また、他の観点から、自動運転制御方法は、ある態様において、目標経路に沿って自車を自動的に走行させる自動運転モード中に運転者が運転操作を行うと当該運転操作に従い前記自車を走行させる手動運転モードに切り替える自動運転制御方法において、前記自動運転モード中の運転者への進路変更案内に連動して運転者に前記手動運転モードへの切り替えを促す。
より好ましい態様では、前記態様において、前記進路変更案内がなされたとき、運転者に前記手動運転モードへの切り替えを促す。
別の好ましい態様では、前記態様のいずれかにおいて、走行中のレーンが前記進路変更案内による進路変更先に対応するレーンであるか否かにより運転者に前記手動運転モードへの切り替えを促すタイミングを異ならせる。
さらに別の好ましい態様では、前記態様のいずれかにおいて、前記自車が走行中のレーンが前記進路変更案内による進路変更先に対応するレーンである場合には、対応しないレーンである場合よりも運転者に前記手動運転モードへの切り替えを促すタイミングを遅らせる。
さらに別の好ましい態様では、前記態様のいずれかにおいて、前記手動運転モード中に運転者が運転操作を停止、または自動運転選択ボタンをオンとすることで前記自動運転モードに切り替え、前記手動運転モード中の前記進路変更案内の終了に連動して運転者に前記自動運転モードへの切り替えを促す。
さらに別の好ましい態様では、前記態様のいずれかにおいて、前記手動運転モード中に運転者が運転操作を停止した場合、前記自車の走行環境に基づく必須条件と前記自車の走行状態に基づく推奨条件とを共に満たしたとき前記自動運転モードに切り替え、前記必須条件のみを満たす場合と前記必須条件を満たさない場合とで運転者に前記自動運転モードへの切り替えを促す方法を異ならせる。
さらに別の好ましい態様では、前記態様のいずれかにおいて、前記必須条件を満たさない場合には、前記必須条件のみを満たす場合よりも運転者に前記自動運転モードへの切り替えを強く促す。
【符号の説明】
【００２３】
2  ナビゲーションシステム（経路誘導部）
4a  運転モード切り替え部
4b  運転モード切り替え促進部
【図１】
0006614573.tif 000002
【図２】
0006614573.tif 000003
【図３】
0006614573.tif 000004
【図４】
0006614573.tif 000005
【図５】
0006614573.tif 000006
【図６】
0006614573.tif 000007
【図７】
0006614573.tif 000008
【図８】
0006614573.tif 000009
【図９】
0006614573.tif 000010
【図１０】
0006614573.tif 000011
【図１１】
0006614573.tif 000012
【図１２】
0006614573.tif 000013